(57)【要約】【課題】屋根材と母屋材との間に浸入する結露水によって母屋材が腐蝕するのを防止できる屋根材の取り付け構造を提供する。【解決手段】屋根材２を母屋材１に取り付ける構造であって、屋根材２と母屋材１の上面との間に、母屋材１の上面における水の滞溜を防止する母屋保護部材７を設けた、屋根材の取り付け構造とする。屋根材２と母屋材１の上面との間に設けた母屋保護部材７によって、母屋材１の上面における水の滞溜を防止できるため、母屋材１が水との接触で腐蝕し易い材質であっても、母屋材１の腐蝕を防止することができる。【選択図】図２
2013209824.tif 000002
【特許請求の範囲】
【請求項１】
屋根材を母屋材に取り付ける構造であって、屋根材と母屋材の上面との間に、母屋材の上面における水の滞溜を防止する母屋保護部材を設けたことを特徴とする屋根材の取り付け構造。
【請求項２】
前記母屋保護部材が前記母屋材の上面に隙間なく接していることを特徴とする請求項１に記載の屋根材の取り付け構造。
【請求項３】
前記屋根材と前記母屋材の上面とが接する領域全体に亘って前記母屋保護部材を設けたことを特徴とする請求項１又は請求項２に記載の屋根材の取り付け構造。
【発明の詳細な説明】
【技術分野】
【０００１】
本発明は屋根材を母屋材に取り付ける構造に関し、更に詳しくは、屋根材と母屋材との間に浸入する結露水によって母屋材が腐蝕するのを防止した屋根材の取り付け構造に関する。
【背景技術】
【０００２】
屋根材を母屋材の上に取り付ける構造として、本出願人は、図４に示す取り付け構造を特許出願し、出願公開された（特許文献１）。
【０００３】
この屋根材の取り付け構造は、金属製の母屋材１の上に合成樹脂製の屋根材２，２を載置し、屋根材２，２の側端の山部２ａ，２ａ同士を重ねると共に、その上にカバー部材３を被せ、これらのカバー部材３と山部２ａ，２ａを筒体４とボルト５で母屋材１に固定したものである。
【先行技術文献】
【特許文献】
【０００４】
【特許文献１】特開２０１２−３１６２３号公報
【発明の概要】
【発明が解決しようとする課題】
【０００５】
しかしながら、上記特許文献１に開示された屋根材の取り付け構造のように、屋根材２，２が母屋材１の上に直接載置されていると、外気の温度が低いときに屋根材２，２の下面で結露した水が、毛管現象により母屋材１と屋根材２，２との隙間に浸入して溜まるため、この結露水の滞溜状態が長く続いたり繰り返されたりすることによって、金属製の母屋材１が徐々に腐蝕して錆が発生する恐れがあった。
【０００６】
本発明は上記の問題に対処すべくなされたもので、その解決しようとする課題は、屋根材と母屋材との間に浸入する結露水によって母屋材が腐蝕するのを防止できるように改良した屋根材の取り付け構造を提供することにある。
【課題を解決するための手段】
【０００７】
上記の課題を解決するため、本発明に係る屋根材の取り付け構造は、屋根材を母屋材に取り付ける構造であって、屋根材と母屋材の上面との間に、母屋材の上面における水の滞溜を防止する母屋保護部材を設けたことを特徴とするものである。
【０００８】
本発明の屋根材の取り付け構造にあっては、母屋保護部材が母屋材の上面に隙間なく接していることが望ましい。また、母屋保護部材は屋根材と母屋材の上面とが接する領域全体に亘って設けられることが望ましい。
【発明の効果】
【０００９】
本発明に係る屋根材の取り付け構造は、屋根材と母屋材の上面との間に設けられた母屋保護部材によって、母屋材の上面における水の滞溜を防止できるため、母屋材が水との接触で腐蝕し易い材質であっても、母屋材の腐蝕を防止することができる。
【００１０】
また、母屋保護部材が母屋材の上面に隙間なく接していると、母屋材の上面への水の浸入、滞溜をより確実に防止できるため腐蝕防止効果が顕著になり、さらに、屋根材と母屋材の上面とが接する領域全体に亘って母屋保護部材が設けられていると、母屋材上面の接触領域全体を腐蝕から保護することができる。
【図面の簡単な説明】
【００１１】
【図１】本発明の一実施形態に係る屋根材の取り付け構造を示す分解斜視図である。
【図２】同屋根材の取り付け構造を示す部分断面図である。
【図３】同屋根材の連結部の取り付け構造を示す部分断面図である。
【図４】従来の屋根材の取り付け構造を示す部分断面図である。
【発明を実施するための形態】
【００１２】
以下、図面を参照しながら、本発明に係る屋根材の取り付け構造について詳細に説明する。
【００１３】
図１は本発明の一実施形態に係る屋根材の取り付け構造を示す分解斜視図、図２は同屋根材の取り付け構造を示す部分断面図、図３は同屋根材の連結部の取り付け構造を示す部分断面図である。
【００１４】
図１〜図３において、１は母屋材であり、この母屋材１は梁などの屋根構造材６の上に固定されている。そして、この母屋材１の上には、屋根材２が母屋保護部材７を介して載置されており、母屋保護部材７は屋根材２の下面と母屋材１の上面との間に設置されている。
【００１５】
この実施形態における屋根材２は、透光性又は不透光性の合成樹脂製の屋根材であって、その両側縁と中間部には、断面形状が台形状の山部２ａが平行に形成されている。そして、図１，図２に示すように、中間部の山部２ａに形成された孔から筒体４（上端にフランジ部４ａを有する筒体４）が挿入され、この筒体４を通して母屋材１のネジ穴にねじ込まれたボルト５によって、屋根材２の中間部が母屋材１に固定されている。また、隣接する屋根材２，２は、図３に示すように側縁の山部２ａ，２ａを互いに重ねることによって連結され、その上にカバー部材３が被せられている。そして、これらのカバー部材３と山部２ａ，２ａの双方に形成された孔から上記の筒体４が挿入され、この筒体４を通して母屋材１のネジ穴にねじ込まれたボルト５によって、屋根材２，２の連結された側縁とカバー部材３が母屋材１に固定されている。屋根材２を固定するときの施工性を考慮すれば、上記ボルト５に代えてドリルねじを使用し、屋根材の山部２ａやカバー部材３に形成した下穴を通してドリルねじを母屋材１に直接ねじ込むか、又は、上記の筒体４を通してドリルねじを母屋材１に直接ねじ込むのがよい。
なお、図１〜図３において、８はボルト５の座金を示している。
【００１６】
母屋材１としては、例えばアルミニウムや鉄などの金属製のものや、木製のものなどが使用される。かかる母屋材１は、図１に示すような角棒状のものでもよいし、断面がＣ字形やコ字形の所謂チャンネル材であってもよい。
【００１７】
屋根材２としては、各種の合成樹脂や金属からなる透光性又は不透光性の屋根材が使用されるが、その中でも軽量で耐久性に優れるポリカーボネートなどの合成樹脂で成形された透光性の屋根材が好ましく使用される。なお、この実施形態では、中間部と両側縁に山部２ａを形成した屋根材２を使用しているが、屋根材２の形状はこれに限定されるものではなく、例えば丸波形や角波形の断面形状を有する屋根材なども使用される。
【００１８】
カバー部材３は、屋根材２，２の連結側縁の浮きを抑えて塵埃や雨水の浸入を防止するものであって、アルミニウムやステンレスなどの金属製のカバー部材やポリカーボネートその他の合成樹脂製のカバー部材が使用される。
【００１９】
筒体４は、上端のフランジ部４ａによって屋根材２の山部２ａやカバー部材３を押えると共に、ボルト５の頭部を支持してねじ込み寸法を一定にする役目を果たすものであり、金属製や硬質合成樹脂製の筒体が使用される。
【００２０】
この屋根材の取り付け構造の大きい特徴は、屋根材２と母屋材１との間に、母屋保護部材７を設けたところにある。この母屋保護部材７は、屋根材２の下面で結露した結露水が屋根材２と母屋材１との間に浸入して、母屋材１の上面で滞溜するのを防止するものであって、例えば合成ゴムやクッション性を有する樹脂発泡体などの弾性材料からなる母屋保護部材が使用される。
【００２１】
母屋保護部材７の弾性材料としては、オレフィン系、ビニル系などの弾性材料が適しており、特に、ポリカーボネート製の屋根材２を用いる場合には、油脂類や可塑剤の影響によるクラック発生を防止するために、ＥＰＤＭ（エチレン−プロピレン−ジエン発泡ゴム）などのオレフィン系の弾性材料からなる母屋保護部材を使用することが好ましい。スチレン系の発泡成形体など、塑性変形するような材料は、屋根にかかる荷重を支えることができないなどの理由から、使用しない方がよい。上記のＥＰＤＭ発泡ゴムからなる母屋保護部材７は、厚みが０．５〜３ｍｍ程度（好ましくは１〜２ｍｍ程度）、アスカーＣ硬度（要確認、不明の場合はゴム硬度と記載する）が２０〜２５度程度（好ましくは２２度程度）であって、母屋材１の上面の幅寸法と同一もしくはそれ以上の幅寸法（例えば２０〜３０ｍｍ程度）を有するものが特に好ましく使用される。
なお、母屋保護部材７の弾性材料として用いる上記の発泡ゴムや前記の樹脂発泡体は、水を通さない独立気泡を有するものを使用する必要がある。
【００２２】
上記の母屋保護部材７は、母屋材１の上面に水が浸入、滞溜しないように母屋材１の上面に隙間なく接して取り付けられていることが望ましく、そのためには接着剤や粘着剤で母屋保護部材７を母屋材１の上面に貼着することが好ましい。その場合、裏面に接（粘）着剤層を備えた発泡ゴムや樹脂発泡体からなる母屋保護部材７を用いると、母屋保護部材７の貼着作業を容易に行える利点があるので好ましい。また、母屋材１の上面に水が浸入、滞溜しないように、シーリング材や防水テープで母屋保護部材７の側端面を被覆してもよく、更に、母屋保護部材７の裏面に吸盤部を凹設して母屋材１の上面に吸着させてもよい。
【００２３】
上記の母屋保護部材７は、この実施形態のように、屋根材２と母屋材１の上面とが接する領域全体に亘って設けられることが望ましく、このようにすると、母屋材１の上面の接触領域全体を腐蝕から保護することができる。
【００２４】
この実施形態に係る屋根材の取り付け構造のように、屋根材２と母屋材１の上面との間に前記の母屋保護部材７が設けられていると、結露水が屋根材２と母屋材１の上面との隙間に浸入して母屋材１の上面に滞溜することがなくなるので、結露水による母屋材１の腐蝕を防止することができる。この腐蝕防止効果は、母屋材１が水との接触で腐蝕する金属製や木製の母屋材である場合に発揮されるが、特に、水との接触により比較的短期間で腐朽する後者の木製の母屋材の場合は効果が顕著である。
【００２５】
また、屋根材２が合成樹脂製であり、母屋材１が金属製である場合は、屋根材２が母屋材１の上面と擦れあって傷つくことがあるが、前記の弾性材料からなる母屋保護部材７が屋根材２と母屋材１の上面との間に設けられていると、母屋材１による屋根材２の物理的な損傷を防止することができる。特に、母屋保護部材７が前記のＥＰＤＭ発泡ゴムからなるものであると、該ＥＰＤＭ発泡ゴムはポリカーボネートに悪影響を及ぼさない発泡ゴムであるため、屋根材２としてポリカーボネート製のものを用いた場合でも、屋根材２の変質や劣化を防止することができる。
【００２６】
また、母屋保護部材７が前記のような適度の厚みと硬度を備えた発泡ゴムなどの弾性材料からなるものであると、母屋材１に不陸があってもそれを吸収し、屋根材２を水平に取り付けることができる。特に、既設の母屋材に対して屋根材のみを交換する場合、母屋材１を支える梁などの屋根構造材６のそれぞれの高さにバラツキがあると、それに追随して母屋材１に不陸が生じるので、上記のように適度の厚みと硬度を備えた弾性材料からなる母屋保護部材７を用いて母屋材１の不陸を吸収することは、極めて好ましい。
【００２７】
なお、屋根材２が金属製である場合は、屋根材２の下面の少なくとも母屋材１と接触する領域に、屋根保護部材を設けることが好ましい。このようにすると、結露水が母屋保護部材７と屋根保護部材との隙間に浸入して溜まるので、母屋材１と屋根材２の双方の腐蝕を防止することができる。屋根保護部材は、母屋保護部材７と同じものを使用すればよい。
【００２８】
本発明に係る屋根材の取り付け構造は、住宅のベランダ、カーポート、集合住宅の駐輪場などの屋根や、工場、倉庫、屋内スポーツ施設、農業用ハウスなどの大型施設の屋根に採用できるものであるが、そのなかでも、屋根材が母屋材に直接支持され、屋根材の下側に野地板や防水シートがなくて屋根材の下面が露出し、地面から上昇する熱気が直接屋根材の下面に伝わるような簡易な構造の屋根、例えば、カーポートや集合住宅の駐輪場などの屋根に、特に好適に採用されるものである。このような簡易な構造の屋根は、地面から上昇する熱気に含まれている水蒸気が屋根材の下面に接触することで急激に冷やされて液化し、多量の結露水が発生して母屋材の上面に滞溜するので、本発明に係る屋根材の取り付け構造を採用すると、顕著な母屋材保護効果（腐蝕防止効果）が得られるからである。
【符号の説明】
【００２９】
１    母屋材
２    屋根材
２ａ  山部
３    カバー部材
４    筒体
５    ボルト
６    梁などの屋根構造材
７    母屋保護部材
８    座金
【図１】
2013209824.tif 000003
【図２】
2013209824.tif 000004
【図３】
2013209824.tif 000005
【図４】
2013209824.tif 000006